(57)【要約】      （修正有）【課題】引き裂き力の方向によらず、精度良く基材を切れ目線構造に沿って引き裂くことのできる切れ目線構造を提供する。【解決手段】基材に形成された切れ目線構造４は互いに連続する複数の切れ目線要素４０を備えている。各切れ目線要素４０は直線部（線状部）４１と、直線部４１から分岐する一対の分岐部４２とを有する。一の切れ目線要素４０の直線部４１は、隣接する他の切れ目線要素４０の一対の分岐部４２内に収まる。【選択図】図１
2019073315.tif 000002
【特許請求の範囲】
【請求項１】
基材に形成された切れ目線構造において、
線状部と、この線状部から分岐する一対の分岐部とを有するとともに、切れ目方向に沿って互いに連続する複数の切れ目線要素を備え、
各切れ目線要素の線状部は、一対の分岐部より切れ目方向の前方に位置し、
一の切れ目線要素の線状部は、隣接する他の切れ目線要素の一対の分岐部内に収まる、切れ目線構造。
【請求項２】
各切れ目線要素の一対の分岐部により分岐部領域が形成され、
一の切れ目線要素の線状部は隣接する他の切れ目線要素の前記分岐部領域内に入る、請求項１記載の切れ目線構造。
【請求項３】
一の切れ目線要素の線状部は、隣接する他の切れ目線要素のうち一方の分岐部側を向き、隣接する切れ目線要素の一方の分岐部の長さは他方の分岐部の長さより長い、請求項１または２記載の切れ目線構造。
【請求項４】
一の切れ目線要素の線状部は、隣接する他の切れ目線要素のうち前記分岐部領域の前記切れ目方向の長さの１０〜５０％だけ前記分岐部領域内に入り込む、請求項２または３のいずれか記載の切れ目線構造。
【発明の詳細な説明】
【技術分野】
【０００１】
本発明は、商品カタログ、パンフレット等の冊子、あるいはくじ引き、菓子箱等の基材に形成された切れ目線構造に関する。
【背景技術】
【０００２】
従来より、商品又は役務の内容を記載した冊子（カタログ、パンフレット等）は、種々の分野で広く利用されている。またこのような冊子はダイレクトメールの形態で顧客あて送付されることがある。この場合、冊子は複数の積層された基材からなり、表面側基材に形成された切れ目線構造に沿って表面側基材を開封することにより、内部に記載された情報を目視することができる。
【０００３】
ところで表面側基材に形成された切れ目線構造は、切れ目線方向に沿って連続して形成され、使用者が切れ目線構造に沿って表面側基材を引き裂くことにより、表面側基材を開封している。
【０００４】
しかしながら、使用者が表面側基材を引き裂く際、使用者の引き裂き力の方向が不適切なときは表面側基材のうち切れ目線構造以外の部分も引き裂いてしまうことがあり、表面側基材を精度良く引き裂くことができない。
【先行技術文献】
【特許文献】
【０００５】
【特許文献１】特開２０１０−２６９４４８号公報
【発明の概要】
【発明が解決しようとする課題】
【０００６】
本発明は、このような点を考慮してなされたものであり、基材を破断する際、使用者の引き裂き力の方向によらず、精度良く基材を切れ目線構造に沿って引き裂くことができる切れ目線構造を提供することを目的とする。
【課題を解決するための手段】
【０００７】
本発明は、基材に形成された切れ目線構造において、線状部と、この線状部から分岐する一対の分岐部とを有するとともに、切れ目方向に沿って互いに連続する複数の切れ目線要素を備え、各切れ目線要素の線状部は、一対の分岐部より切れ目方向の前方に位置し、一の切れ目線要素の線状部は、隣接する他の切れ目線要素の一対の分岐部内に収まる、切れ目線構造である。
【０００８】
本発明は、各切れ目線要素の一対の分岐部により分岐部領域が形成され、一の切れ目線要素の線状部は隣接する他の切れ目線要素の前記分岐部領域内に入る、切れ目線構造である。
【０００９】
本発明は、一の切れ目線要素の線状部は、隣接する他の切れ目線要素のうち一方の分岐部側を向き、隣接する切れ目線要素の一方の分岐部の長さは他方の分岐部の長さより長い、切れ目線構造である。
【００１０】
本発明は、一の切れ目線要素の線状部は、隣接する他の切れ目線要素のうち前記分岐部領域の前記切れ目方向の長さの１０〜５０％だけ前記分岐部領域内に入り込む、切れ目線構造である。
【発明の効果】
【００１１】
以上のように、本発明によれば、引き裂き力の方向によらず、精度良く機材を切れ目線構造に沿って引き裂くことができる。
【図面の簡単な説明】
【００１２】
【図１】図１は本発明による切れ目線構造を示す平面図。
【図２】図２は冊子状印刷物を示す平面図。
【図３Ａ】図３Ａは図２のＡ−Ａ線断面図。
【図３Ｂ】図３Ｂは図２のＢ−Ｂ線断面図。
【図４】図４（ａ）（ｂ）（ｃ）は比較例としての切れ目線構造を示す図。
【図５】図５は本発明の変形例を示す平面図。
【図６Ａ】図６Ａは本発明の変形例を示す平面図。
【図６Ｂ】図６Ｂは本発明の変形例を示す拡大図。
【発明を実施するための形態】
【００１３】
＜第１の実施の形態＞
以下、図１乃至図３Ｂにより本発明の第１の実施の形態について述べる。
【００１４】
まず本発明による切れ目線構造４が形成された冊子状印刷物１について述べる。
【００１５】
図２および図３に示すように、冊子状印刷物１は矩形状の表面側基材１０と、矩形状の裏面側基材２０とを備え、このうち表面側基材１０には後述する切れ目線構造４が形成されている。
【００１６】
また冊子状印刷物１の一側（左側）は綴じ部２を有する綴じ部側１Ａとなっており、他側（右側）は小口側１Ｂとなっている（図２参照）。
【００１７】
また表面側基材１０の上面には差出料金表示１１と、受取人である顧客の送り先、宛名記載部１２と、例えば、提供する情報の広告表示部１３と、送り手の社名を記載する差出人記載部１４等が表示されている。
【００１８】
また、冊子状印刷物１の表面側基材１０には、図２に示すように小口側１Ｂの接着部３ａの内縁に切れ目線構造４ａが形成され、上辺と下辺に設けられた接着部３ｂ、３ｃの内縁に切れ目線構造４ｂ、４ｃが設けられている。また綴じ部側１Ａには綴じ部２の内縁に折り曲げ用ミシン目線５が設けられている。そして小口側１Ｂの切れ目線構造４ａと、上辺および下辺の切れ目線構造４ｂ、４ｃとによりコ字状の切れ目線構造４が構成されている。冊子状印刷物１を受取った使用者は、冊子状印刷物１に形成された、右下隅部の切れ目線構造４ａと切れ目線構造４ｃとの交点を開封口６としてコ字状の切れ目線構造４に沿って、表面側基材１０をコ字状に開封する。このことにより冊子状印刷物１内を見開き可能な状態とすることにより冊子１に掲載された各種情報を閲覧できるようになっている。
【００１９】
次に、図２および図３を用いて冊子状印刷物１の構造について更に説明する。図２および図３に示すように、冊子状印刷物１は、一対の矩形状の表面側基材１０と裏面側基材２０の１辺の端部に綴じ部２が設けられ、綴じ部２を除く周辺の３辺に接着部３ａ、３ｂ、３ｃからなるコ字状の接着部３が設けられている。また綴じ部２、接着部３により周辺の４辺が接着され、表面側基材１０と裏面側基材２０との間に中紙片３０ａ、３０ｂ、３０ｃからなる３枚の中紙片３０が挿入され、中紙片３０は綴じ部２において表面側基材１０および裏面側基材２０と綴じられ一体化されている。ところで３枚の中紙片３０ａ、３０ｂ、３０ｃからなる中紙片３０は、綴じ部２においては、対向する接着部３ｂから接着部３ｃに向かう方向の寸法が表面側基材１０および裏面側基材２０の寸法より小さい。また、中紙片３０ａ、３０ｂ、３０ｃの綴じ部２から接着部３ａに向かう方向の寸法は、表面側基材１０および裏面側基材２０の寸法より小さい。また中紙片３０ａ、３０ｂ、３０ｃの綴じ部側１Ａから小口側１Ｂへ向う方向の寸法は、表面側基材１０から裏面側基材２０に向って順次大きくなっており、綴じ部２で綴じられている中紙片３０ａ、３０ｂ、３０ｃの小口側１Ｂには、余白部が形成され、この部分は見出しとして利用され、使用者に便利性を与えることができる。また、綴じ部２において、表面側基材１０、裏面側基材２０および中紙片３０ａ、３０ｂ、３０ｃの内縁に折り曲げ用ミシン目線５が設けられている。表面側基材１０および裏面側基材２０の折り曲げ用ミシン目線５は必ずしも必要とするものでないが、中紙片３０ａ、３０ｂ、３０ｃの枚数が多くなると裏面側基材２０側に折り返すと見開き状態が安定するので好ましいものである。このような構成にすることにより封緘されている冊子を他人に盗み見されることもなく個人情報等重要情報の機密化が図れ、顧客に安心して郵送、あるいは宅配できる。また、使用者にも安心感を与えることができる。なお、冊子状印刷物１が３枚の中紙片３０ａ、３０ｂ、３０ｃを有する例を示したが、中紙片３０ａ、３０ｂ、３０ｃの枚数は提供する情報量に応じて増減すればよい。
【００２０】
図２および図３において、冊子状印刷物１が届けられた使用者は、冊子状印刷物１の表面側基材１０の右下隅部に設けられた開封口６を手指で摘み、引っ張り上げることにより、切れ目線構造４ａ、４ｃ、４ｂに沿って、表面側基材１０をコ字状に開封する。次に折り曲げ用ミシン目線５において表面側基材１０を折り曲げて見開き可能な状態とする。次に、中紙片３０ａ、３０ｂ、３０ｃに掲載された各種情報が閲覧できる。
【００２１】
次に冊子状印刷物１の表面側基材１０に形成された、切れ目線構造４ａ、４ｂ、４ｃからなるコ字状の切れ目線構造４について述べる。
【００２２】
図１に示すように表面側基材１０に形成された切れ目線構造４は、線状部となる直線部４１と、この直線部４１から分岐する一対の分岐部４２とを有する複数の切れ目線要素４０を備えている。このうち直線部４１は直線状に形成されているが、直線部４１の代わりに、線状部として多少湾曲する湾曲線を設けてもよい。
【００２３】
また複数の切れ目線要素４０は、切れ目線構造４の引き裂き方向である切れ目方向Ｌに沿って互いに連続している。さらに各切れ目線要素４０の直線部４１は、一対の分岐部４２よりも切れ目線方向Ｌの前方に位置している。
【００２４】
また図１に示すように各切れ目線要素４０の直線部４１は、隣接する他の切れ目線要素４０の一対の分岐部４２内に収まっており、直線部４１は一対の分岐部４２に挟まれる場所に位置することになる。
【００２５】
具体的には切れ目線要素４０の一対の分岐部４２により分岐部領域４５が形成され、各切れ目線要素４０の直線部４１は、隣接する他の切れ目線要素４０の分岐部領域４５内に収まっている。すなわち直線部４１は、一対の分岐部４２と一対の分岐部４２の先端を結ぶ直線５７とにより囲まれた分岐部領域４５内に収まっている。ここで、分岐部領域４５の切れ目方向Ｌの長さｌは、一対の分岐部４２の基端と、一対の分岐部４２の先端を結ぶ直線５７の中心５７ａとを結ぶ長さとなる。
【００２６】
上述のように各切れ目線要素４０の直線部４１は、隣接する他の切れ目線要素４０の分岐部領域４５内に収まっている。この場合、分岐部領域４５の切れ目方向Ｌの長さをｌとすると、直線部４１は、分岐部領域４５の切れ目方向Ｌの長さｌに対して１０〜５０％程度分岐部領域４５内に入り込んでいることが好ましい。
【００２７】
直線部４１がｌに対して１０％未満の長さしか分岐部領域４５内に入っていない場合、後述のように切れ目線構造４に沿って精度良く表面側基材１０を引き裂くことはむずかしく、切れ目線構造４以外の部分で表面側基材１０が、引き裂かれることが考えられる。
【００２８】
他方、直線部４１がｌに対して５０％以上の長さをもって分岐部領域４５内に入ってくると、使用者の意図しない力により切れ目線構造４に沿って表面側基材１０が引き裂かれてしまう。
【００２９】
このため直線部４１は、分岐部領域４５の切れ目方向Ｌの長さｌに対して１０〜５０％だけ分岐部領域４５内に入り込んでいる。
【００３０】
次にこのような構成からなる本実施の形態の作用について説明する。
【００３１】
上述のように使用者は冊子状印刷物１の表面側基材１０の右下隅部に設けられた開封口６を手指で摘み、引っ張り上げることにより、コ字状の切れ目線構造４に沿って表面側基材１０をコ字状に引き裂く。このことにより表面側基材１０をコ字状に開封することができる。
【００３２】
この場合、図１に示すように表面側基材１０は、切れ目線構造４から切れ目方向Ｌに沿って引き裂かれる。例えば、切れ目線構造４のある切れ目線要素４０に沿って表面側基材１０が引き裂かれる際、表面側基材１０の切れ目は直線部４１から隣接する次の切れ目線要素４０の分岐部４２へ伝わる。
【００３３】
次に隣接する切れ目線要素４０の直線部４１から隣接する次の切れ目線要素４０の分岐部４２へ表面側基材１０の切れ目が伝わる。
【００３４】
このようにして表面側基材１０を、連続して配置された切れ目線要素４０に沿ってスムースに引き裂くことができる。
【００３５】
この場合、図１に示すように、各切れ目線要素４０の直線部４１は、隣接する他の切れ目線要素４０の分岐部領域４５内に収まっているため、ある切れ目線要素の直線部４１から隣接する他の切れ目線要素４０の分岐部４２へ表面側基材１０の切れ目を、使用者の引き裂き力の方向によらず確実に伝えることができる。従って使用者が左方向を除くどのような方向に引き裂いても、具体的には上方向、下方向、右方向、右上方向、右下方向のいずれの方向に引き裂いても、表面側基材１０が切れ目線構造４以外の部分で引き裂かれることはなく、表面側基材１０を切れ目線構造４に沿ってスムースかつ精度良く引き裂くことができる。
【００３６】
次に図４（ａ）（ｂ）（ｃ）に、比較例としての切れ目線構造４を示す。
【００３７】
例えば図４（ａ）に示すように、切れ目線構造４の各切れ目線要素４０は直線部４１と、直線部４１に連結された屈曲部４６とを有している。
【００３８】
図４（ａ）において、表面側基材１０を引き裂く際、一の切れ目線要素４０の直線部４１から隣接する次の切れ目線要素４０の屈曲部４６へ表面側基材１０の切れ目を確実に伝えるためには、引き裂き方向は右上方向に限定されてしまう。
【００３９】
また図４（ｂ）に示すように、切れ目線構造４の各切れ目線要素４０は直線部４１と、直線部４１に連結された２段の屈曲部４６、４７とを有している。
【００４０】
図４（ｂ）において、表面側基材１０を引き裂く際、一の切れ目線要素４０の直線部４１から隣接する次の切れ目線要素４０の屈曲部４７へ表面側基材１０の切れ目を確実に伝えるためには、引き裂き方向は右上方向に限定されてしまう。
【００４１】
あるいは図４（ｃ）に示すように、切れ目線構造４の各切れ目線要素４０は直線部４１と、直線部４１に連結された一対の分岐部４８とを有している。
【００４２】
またある切れ目線要素４０の直線部４１は、隣接する他の切れ目線要素４０の一対の分岐部４８内に収まっておらず、分岐部４８の外方にある。
【００４３】
図４（ｃ）において、表面側基材１０を引き裂く際、一の切れ目線要素４０の直線部４１から隣接する次の切れ目線要素４０の分岐部４８へ表面側基材１０の切れ目を確実に伝えるためには、引き裂き方向は右上方向、右上方向、および右方向に限定されてしまう。
【００４４】
これに対して図１に示すように、本実施の形態によれば、使用者が上方向、下方向、右方向、右上方向および右下方向のいずれの方向に表面側基材１０を引き裂いた場合であっても、一の切れ目線要素４０の直線部４１から隣接する他の切れ目線要素４０の分岐部４２へ表面側基材１０の切れ目を確実に伝えることができる。
【００４５】
＜本発明の変形例＞
次に本発明の変形例について図５、および図６Ａおよび図６Ｂにより説明する。上記実施の形態において、冊子状印刷物１の表面側基材１０に切れ目線構造４を設けた例を示したが、図５に示すように表面側基材５０Ａを含むくじ引きシート５０のうち表面側基材５０Ａに切れ目線構造４を設けてもよい。
【００４６】
図５に示すように、くじ引きシート５０の表面側基材５０Ａにかぼちゃマーク５２が設けられ、このかぼちゃマーク５２に沿って複数の切れ目線要素４０を含む切れ目線構造４が配置されている。また切れ目線構造４のうち切れ目線要素４０がない部分はつなぎ５３となっている。
【００４７】
図５において、開封口５１から摘んで切れ目線構造４に沿って表面側基材５０Ａを引き裂くことにより、表面側基材５０Ａを開封して、表面側基材５０Ａにより覆われたくじ引き結果を外方へ表わすことができる。
【００４８】
あるいは図６Ａおよび図６Ｂに示すように、くじ引きシート５０は表面側基材５０Ａを有するとともに、表面側基材５０Ａに切れ目線構造４が設けられている。切れ目線構造４は複数の切れ目線要素４０を含む。
【００４９】
複数の切れ目線要素４０は切れ目線構造４の上方および下方に配置され、また切れ目線構造４は右方に配置された直線状の切れ目５５を有し、切れ目線構造４のうち切れ目線要素４０がない部分はつなぎ５３となっている。
【００５０】
図６Ａにおいて、開封口５１を摘んで切れ目線構造４に沿って表面側基材５０Ａを開封して、表面側基材５０Ａにより覆われたくじ引き結果を外方へ表わすことができる。次に図６Ｂにより、くじ引きシート５０についてさらに述べる。
【００５１】
図６Ｂに示すように、一の切れ目線要素４０の直線部４１は、隣接する他の切れ目線要素４０のうち一方の分岐部４２ａ側を向く。また、隣接する他の切れ目線要素４０のうち一方の分岐部４２ａの長さは、他方の分岐部４２ｂの長さより、長くなっている。このように、一の切れ目線要素４０の直線部４１は、隣接する他の切れ目線要素４０の一方の分岐部４２ａ側を向き、一方の分岐部４２ａの長さは、他方の分岐部４２ｂの長さより長くなっているため、一方の分岐部４２ａが切れ目線の受け部として機能する。このため、一の切れ目線要素４０の直線部４１から隣接する他の切れ目線要素４０の一方の分岐部４２ａ側へ表面側基材５０Ａの切れ目をより確実に伝えることができる。
【００５２】
なお、図６Ｂにおいて、切れ目線要素４０の一対の分岐部４２ａ、４２ｂにより分岐部領域４５が形成される。各切れ目線要素４０の直線部４１は、隣接する他の切れ目線要素４０の分岐部領域４５内に収まっている。ここで、分岐部領域４５の切れ目方向Ｌの長さｌは、一対の分岐部４２ａ、４２ｂの基端と、一対の分岐部４２ａ、４２ｂの先端を結ぶ直線５７の中心５７ａとを結ぶ長さとなる。
【符号の説明】
【００５３】
１      冊子状印刷物
４      切れ目線構造
４ａ、４ｂ、４ｃ  切れ目線構造
６      開封口
１０    表面側基材
２０    裏面側基材
４０    切れ目線要素
４１    直線部
４２    分岐部
４２ａ  一方の分岐部
４２ｂ  他方の分岐部
４５    分岐部領域
５０    くじ引きシート
５０Ａ  表面側基材
５１    開封口
５３    つなぎ
５５    直線状の切れ目
５７    直線
５７ａ  中心
【図１】
2019073315.tif 000003
【図２】
2019073315.tif 000004
【図３Ａ】
2019073315.tif 000005
【図３Ｂ】
2019073315.tif 000006
【図４】
2019073315.tif 000007
【図５】
2019073315.tif 000008
【図６Ａ】
2019073315.tif 000009
【図６Ｂ】
2019073315.tif 000010